(57)【要約】【課題】自動販売機が故障する虞れを低減し、且つ扉体を開いて作業を行う際の作業効率が低下する虞れを低減した自動販売機を提供することにある。【解決手段】自動販売機１は、本体キャビネットに開閉自在に取り付けた扉体を備え、且つ電圧制御手段４から印加する電圧で作動する電気機器１９，３４を備えている。そのような自動販売機には、扉体が開いている場合には電圧制御手段から電気機器への電圧の印加を遮断する一方、扉体が閉じている場合には電圧制御手段から電気機器への電圧の印加を許容するスイッチ手段４０を、扉体と本体キャビネットとの間に設けてある。動作電圧の低い硬貨処理装置２４にはスイッチ手段４０が接続されていないので、硬貨処理装置２４の硬貨の回収を実行することができ、扉体開放時にベンドメック１９に接続されたスイッチ手段４０を手動で操作することにより動作可能とすることができる。【選択図】図４
2007122672.tif 000002
【特許請求の範囲】
【請求項１】
本体キャビネットに開閉自在に取り付けた扉体を備え、且つ電圧制御手段から印加する電圧で作動する電気機器を備える自動販売機において、前記扉体が開いている場合には前記電圧制御手段から前記電気機器への電圧の印加を遮断する一方、前記扉体が閉じている場合には前記電圧制御手段から前記電気機器への電圧の印加を許容するスイッチ手段を、前記扉体と前記本体キャビネットとの間に設けたことを特徴とする自動販売機。
【請求項２】
請求項１記載の自動販売機において、電気機器はベンドメック、照明手段であることを特徴とする自動販売機。
【請求項３】
請求項１記載の自動販売機において、スイッチ手段は本体キャビネットの前面に取り付けたスイッチ取付台と、扉体の背面に取り付けた押圧部材からなり、扉体が開いている場合にもスイッチ取付台に予め用意された押圧部材を差し込むことにより該当する電気機器に通電可能としたことを特徴とする自動販売機。
【発明の詳細な説明】
【技術分野】
【０００１】
本発明は、自動販売機に関するものである。
【背景技術】
【０００２】
例えば缶入り飲料、ビン入り飲料、ブリックパック入り飲料、又はペットボトル入り飲料等の容器入り飲料を商品として販売する自動販売機が広く知られている。このような自動販売機は、本体キャビネットに開閉可能に取り付けた扉体、本体キャビネットの内部に設けた電圧制御手段およびベンドメック（電気機器）、ならびに扉体の内部に設けた照明手段（電気機器）を備えている。
電圧制御手段は、商用電源の電圧および周波数を、所定の電圧および周波数に変換して、各電気機器に電圧をそれぞれ印加するものである。
ベンドメックは、導線を絶縁材料で被覆したケーブルを介して電圧制御手段に接続してあり、利用者の押釦スイッチの操作に応じて電圧制御手段から印加する電圧で作動し、本体キャビネットの内部に収容してある商品を１つずつ搬出するものである。
【０００３】
照明手段は、扉体に設けてある商品展示室に配置してあって、ケーブルを介して電圧制御手段に接続してあり、電圧制御手段から印加する電圧で点灯（作動）して、商品展示室の内部に配置してある商品見本を照らし出すものである。
このような自動販売機では、商品見本を照明手段によって利用者に照らし出し、利用者が商品見本に対応する押釦スイッチを操作することによって、対応するベンドメックが作動し、利用者が選択した商品が払い出されることとなる。
【発明の開示】
【発明が解決しようとする課題】
【０００４】
ところで、このような自動販売機には、設置環境に応じて、漏電遮断器を設けているものと漏電遮断器を設けていないものとがある。漏電遮断器は、自動販売機から電気が漏れることを防止するものであって、電圧制御手段とベンドメックとの間であり、且つ電圧制御手段と照明手段との間に設けてあるものである。
漏電遮断器を設けていない自動販売機において、例えば扉体を開いてメンテナンスを行う際、電圧制御手段と電気機器との間であって、例えばケーブルの絶縁材料がはがれた個所の導線にドライバー等の異物が接触して漏電が発生した場合には、導線が溶断して自動販売機が故障する虞れがある。
一方、漏電遮断器を設けている自動販売機において、例えば扉体を開いてメンテナンスを行う際、電圧制御手段と電気機器との間であって、例えばケーブルの絶縁材料がはがれた個所の導線に例えばドライバー等の異物が接触して漏電が発生した場合には、漏電遮断器が作動することによって漏電を防止することができるものの、漏電遮断器が作動してしまうと、作業者は、作業を一旦中断し、再度の漏電の発生に備えるため、漏電遮断器の作動解除操作を行ってから、再び作業にとりかかならければならない。よって、作業が中断されるので、作業効率が低下する問題があった。
【０００５】
本発明は、上記実情に鑑み、自動販売機が故障する虞れを低減し、且つ扉体を開いて作業を行う際の作業効率が低下する虞れを低減した自動販売機を提供することにある。
【課題を解決するための手段】
【０００６】
上記の目的を達成するために、請求項１に係る自動販売機が備える発明は、本体キャビネットに開閉自在に取り付けた扉体を備え、且つ電圧制御手段から印加する電圧で作動する電気機器を備える自動販売機において、前記扉体が開いている場合には前記電圧制御手段から前記電気機器への電圧の印加を遮断する一方、前記扉体が閉じている場合には前記電圧制御手段から前記電気機器への電圧の印加を許容するスイッチ手段を、前記扉体と前記本体キャビネットとの間に設けたことを特徴とする。
また、請求項２に係る発明の自動販売機においては、前記請求項１記載の自動販売機において、電気機器はベンドメック、照明手段であることを特徴とする。
さらに、請求項３に係る発明の自動販売機においては、請求項１記載の自動販売機において、スイッチ手段は本体キャビネットの前面に取り付けたスイッチ取付台と、扉体の背面に取り付けた押圧部材からなり、扉体が開いている場合にもスイッチ取付台に予め用意された押圧部材を差し込むことにより該当する電気機器に通電可能としたことを特徴とする。
【発明の効果】
【０００７】
請求項１に係る発明によれば、扉体が開いている場合には電圧制御手段から電気機器への電圧の印加を遮断する一方、扉体が閉じている場合には電圧制御手段から電気機器への電圧の印加を許容するスイッチ手段を、扉体と本体キャビネットとの間に設けたので、電圧制御手段と電気機器との間で漏電が発生する虞れを低減することができる。よって、漏電が発生する虞れを低減することができるため、漏電遮断器を設けていない自動販売機では故障する虞れを低減することができ、漏電遮断器を設けている自動販売機では、扉体を開いて作業を行う際の作業効率が低下することを防止することができる。
また、請求項２に係る発明によれば、所定電圧以下、例えば３５Ｖ以下の直流電圧により作動する硬貨処理装置には電圧制御手段から電圧が供給されているので、売上げ計算のために硬貨処理装置内に貯蔵された釣銭硬貨を、硬貨処理装置を作動（釣銭払出し動作の実行）させて回収することができる。
【０００８】
さらに、請求項３に係る発明によれば、扉体を開いて商品の入れ替えを行う場合にはベンドメックを作動させて商品収納通路に収納された商品を搬出する必要があるが、その際に電圧制御手段からベンドメックへの電圧の印加を遮断しているスイッチ手段のスイッチ取付台に予め用意された押圧部材を差し込むことによりベンドメックに電圧制御手段からの電圧を印加させてベンドメックを作動させることができる。
【発明を実施するための最良の形態】
【０００９】
以下に添付図面を参照して、本発明に係る自動販売機の好適な実施の形態を詳細に説明する。
図１〜図３は、本発明にかかる自動販売機１を示したものである。ここで例示する自動販売機１は、缶入り飲料、瓶入り飲料、ペットボトル入り飲料、またはブリックパック入り飲料等の容器入り飲料を商品として販売するもので、本体キャビネット２の前面に扉体（外扉）３を備えている。
本体キャビネット２は、複数の鋼板を適宜組み合わせることによって構成したものであり、前面が開口した直方体状を成している。
本体キャビネット２の内部には、図４に示すように電圧制御手段４を設けてある。電圧制御手段４は、商用電源５の電圧および周波数を、所定の電圧および周波数に変換して、後述する各電気機器１９，３４等に電圧を印加するものである。
【００１０】
上記本体キャビネット２の内部には、断熱部材を自動販売機１の左右方向に複数設けてあり、それらの断熱部材によって、図２および図３に示すように、本体キャビネット２の内部に４つの独立した収容室９を並べて設けてある。それらの収容室９の下方となる位置には、唯一の機械室１０を設けてある。
各収容室９の内部には、商品収納ラック１１をそれぞれ設けてある。商品収納ラック１１は、複数種の商品を個別に収納することができるもので、商品収納通路１３とトップトレイ１７とベンドメック（電気機器）１９とを対応するよう備えている。
商品収納通路１３は、一対の側板（図３では一方のみを示す）１４の間に、湾曲形状のセグメント１５を上下方向に連ねて設けることで構成してあり、上下方向に蛇行する態様で形成してあるものであって、複数の商品を収納するものである。
【００１１】
商品収納通路１３の上端部および下端部はそれぞれ開放しており、上端部が商品の投入口となっている一方、下端部が商品の払出口となっている。
このような構成を有する商品収納通路１３を、自動販売機１の内部には、収容室９の奥行方向（図３において左右方向）に沿って複数（図示例では５列）設けてある。
トップトレイ１７は、収容室９の上端部において、自動販売機１の正面側（図３において左方）から背面側（図３において右方）に向けて漸次低くなる態様で傾斜配置した板状部材で構成してある。各トップトレイ１７の背面側端部は、対応する商品収納通路１３の上記投入口において終端している。このようなトップトレイ１７を、図２および図３に示すように、自動販売機１の内部に、上下方向に並べて設けてある。
ベンドメック１９は、商品収納通路１３の下端部において一対の側板１４の間に位置する部位に設けてある。ベンドメック１９は、図４に示すように、導線を絶縁材料で被覆したケーブル１９ａを介して電圧制御手段４に接続してあり、利用者の図１に示す押釦スイッチ３３の操作に応じて電圧制御手段４から印加する電圧で図３に示す上ペダル１９ｂと下ペダル１９ｃとを適宜作動させることにより、商品収納通路１３に収納された最下位置の商品を１つ払出口から搬出するものである。なお、ベンドメック１９と機械室１０との間には、商品収納通路１３の払出口から搬出された商品を商品取出口２８へ案内する商品シュータ２０を設けてある。また、ベンドメック１９は扉体３の背面に設置された一括払い出しスイッチ（不図示）が操作された際に作動して商品収納通路１３に収納された商品をすべて搬出するように構成されている。これは商品収納通路１３に収納された商品の入れ替え、例えば、販売する商品を缶入り飲料からペットボトル入り飲料に変更する場合、商品収納通路１３に収納されている缶入り飲料をすべて搬出した後、空になった商品収納通路１３にペットボトル入り飲料を補充する必要があるので、商品収納通路１３に収納された商品の入れ替えを行う際には商品収納通路１３に収納されている商品をすべて搬出してしまわねばならないためである。
【００１２】
一方、扉体３は、図２に示す本体キャビネット２の前面開口２ａを開閉する態様で揺動することが可能なよう本体キャビネット２の一側縁部にヒンジを介して取り付けてある。
そのような扉体３には、図１に示すように、その表面の他側縁部に紙幣挿入口２１、硬貨投入口２３、返却レバー２５、硬貨返却口２６、表示器２７が設けてあるとともに、その表面の下方中央部に商品取出口２８が、その表面の上部から中央にかけて商品展示室３０が設けてある。
紙幣挿入口２１は、利用者が紙幣を挿入するための開口である。紙幣挿入口２１を通じて挿入された紙幣は、図２に示す紙幣処理装置２２において適宜処理されることとなる。なお、図１に示す紙幣挿入口２１は、利用者に対して紙幣を返却する際の紙幣返却口としても機能する。紙幣処理装置２２は、図４に示すように、導線を絶縁材料で被覆したケーブル２２ａを介して電圧制御手段４に接続してあり、電圧制御手段４から印加する電圧で、紙幣挿入口２１から挿入された紙幣の真偽、種類を判別するものである。なお、本体キャビネット２に対して扉体３が閉じている場合、電圧制御手段４は紙幣処理装置２２に２４Ｖの直流電圧を印加する。
【００１３】
図１に示す硬貨投入口２３は、利用者が硬貨を投入するための開口である。硬貨投入口２３を通じて投入された硬貨は、図２に示す硬貨処理装置２４において処理されることになる。硬貨処理装置２４は、図４に示すように、導線を絶縁材料で被覆したケーブル２４ａを介して電圧制御手段４に接続してあり、電圧制御手段４から印加する電圧で、硬貨投入口２３から投入された硬貨の真偽、種類を判別するものである。なお、本体キャビネット２に対して扉体３が閉じている場合、電圧制御手段４は硬貨処理装置２４に２４Ｖの直流電圧を印加する。
図１に示す返却レバー２５は、紙幣挿入口２１から挿入した紙幣、あるいは硬貨投入口２３から投入した硬貨を返却するための操作部であり、硬貨投入口２３の近傍に配置してある。
【００１４】
硬貨返却口２６は、利用者に対して硬貨を返却するための開口であり、硬貨投入口２３よりも下方となる位置に配置してある。
表示器２７は、貨幣の入金額、商品の販売中であるか否か、釣り銭があるか否か等々、商品を販売する上で必要となる各種情報を利用者に表示するためのものであり、例えば液晶によって構成してある。
商品取出口２８は、利用者が購入した商品を受け取るための開口であり、扉体３の下部に横長に形成してある。
商品展示室３０は、内部に上記商品に対応した商品見本３１を配置してあるものであって、利用者が外部から商品見本３１を視認することができるよう前面に透明板３２を設けてある。
【００１５】
透明板３２の前面には、上記商品見本３１に対応する押釦スイッチ３３を備えるとともに、電圧制御手段４から印加する電圧で点灯（作動）して、下方の商品見本３１を照らし出す照明手段（電気機器）３４を備える押釦ユニット３５を配設してある。上記照明手段３４は、例えば光源としての蛍光灯あるいは発光ダイオード若しくは白熱電球などを備えており、光源の光を利用者が直視することを防止するよう板材で覆ってある。照明手段３４は、図４に示すように、ケーブル３４ａを介して電圧制御手段４に接続してある。
このような構成を有する扉体３と、本体キャビネット２との間には、図２に示すように、内扉３７を設けてある。内扉３７は、本体キャビネット２の一側縁部にヒンジを介して取り付けたもので、上方に配置するものと、下方に配置するものとで構成してある。下方に配置する内扉３７には、扉体３が閉じた状態において、商品シュータ２０の前方域となり、且つ商品取出口２８に通じる部位に、商品搬出口３８が設けてある。
【００１６】
また、扉体３と本体キャビネット２との間には、図４に示すスイッチ手段４０を設けてある。スイッチ手段４０は、図２に示すように、本体キャビネット２の前面側に取り付けてあるスイッチ取付台４１と、扉体３の背面側に取り付けてある押圧部材４４とで構成してある。
スイッチ取付台４１は、図５および図６に示すように、本体キャビネット２の前面側に爪挿入溝４２ａ，４２ｂをそれぞれ有する複数（図示例では２つ）のスイッチ本体４３ａ，４３ｂを備えている。
スイッチ本体４３ａは、図４に示すように、電圧制御手段４とベンドメック１９との間に配置してあるもので、爪挿入溝４２ａに押圧爪４６ａが挿入され、押圧爪４６ａの先端で押圧された場合には、電圧制御手段４からベンドメック１９への電圧の印加を許容する一方、爪挿入溝４２ａから押圧爪４６ａを抜き出し、押圧爪４６ａによる押圧が解除された場合には電圧制御手段４からベンドメック１９への電圧の印加を遮断するものである。
【００１７】
スイッチ本体４３ｂは、図４に示すように、電圧制御手段４と照明手段３４との間に配置してあるもので、爪挿入溝４２ｂに押圧爪４６ｂが挿入され、押圧爪４６ｂの先端で押圧された場合には、電圧制御手段４から照明手段３４への電圧の印加を許容する一方、爪挿入溝４２ｂから押圧爪４６ｂを抜き出し、押圧爪４６ｂによる押圧が解除された場合には電圧制御手段４から照明手段３４への電圧の印加を遮断するものである。
このようなスイッチ本体４３ａ，４３ｂには、本体キャビネット２に対して扉体３を閉じた状態で、扉体３の前方側から本体キャビネット２の内部に浸入してくる雨水等の液体が、スイッチ本体４３ａ，４３ｂにかかることを防止する例えば絶縁性を有する樹脂材料で直方体状に形成したカバー４８を設けてある。カバー４８には、本体キャビネット２の前方域であって、爪挿入溝４２ａ，４２ｂに通じる部位に、爪挿脱口４９ａ，４９ｂを設けてある。
【００１８】
押圧部材４４は、図７に示すように、基部４５を扉体３に取り付けた場合に押圧爪４６ａ，４６ｂが扉体３の裏面から突出するよう基部４５と２つの押圧爪４６ａ，４６ｂとを側面視がコ字状となる態様で金属材料で形成してあり、押圧爪４６ａ，４６ｂが、対応する爪挿入溝４２ａ，４２ｂに挿入できる部位であって、且つ扉体３の裏面に取り付けてある。基部４５は、例えば押圧部材４４を扉体３に取り付けるためのネジ孔を有する部分であって、ネジ孔に挿入したネジによって扉体３に取り付けてある。
押圧爪４６ａ，４６ｂは、爪挿脱口４９ａ，４９ｂおよび爪挿入溝４２ａ，４２ｂに挿入することができる大きさに形成してあり、爪挿入溝４２ａ，４２ｂから挿脱する際に折れ曲がらないようリブ４７ａ，４７ｂを両側に沿って設けてある。
次に、このような構成を有する自動販売機１の作用を説明する。図８に示すように、本体キャビネット２に対して扉体３を閉じている場合には、爪挿脱口４９ａを通して爪挿入溝４２ａに押圧爪４６ａが挿入され、押圧爪４６ａの先端でスイッチ本体４３ａを押圧した状態となる。この状態では、電圧制御手段４からベンドメック１９への電圧の印加が許容される。従って、利用者が押釦スイッチ３３を操作した場合、ベンドメック１９は、電圧制御手段４から印加する電圧で上ペダル１９ｂと下ペダル１９ｃとを適宜作動させることにより、商品収納通路１３に収納された最下位置の商品を１つ払出口から搬出する。
【００１９】
しかも、本体キャビネット２に対して扉体３を閉じている場合には、爪挿脱口４９ｂを通して爪挿入溝４２ｂに押圧爪４６ｂが挿入され、押圧爪４６ｂの先端でスイッチ本体４３ｂを押圧した状態となる。この状態では、電圧制御手段４から照明手段３４への電圧の印加が許容される。従って、照明手段３４は、電圧制御手段４から印加する電圧で点灯（作動）することにより、商品見本３１を照らし出す。
本体キャビネット２に対して扉体３を閉じている状態では、紙幣処理装置２２には電圧制御手段４から電圧が印加され、紙幣挿入口２１から紙幣が挿入された場合には、紙幣処理装置２２で紙幣の真偽・種類を判別するとともに、硬貨処理装置２４には電圧制御手段４から電圧が印加され、硬貨投入口２３から硬貨が投入された場合には、硬貨処理装置２４で硬貨の真偽・種類を判別する。
【００２０】
一方、このような状態からメンテナンス等を行うため扉体３を開くと、押圧爪４６ａが爪挿入溝４２ａから抜き出され、押圧爪４６ａによるスイッチ本体４３ａへの押圧が解除された状態となる。この状態では、電圧制御手段４からベンドメック１９への電圧の印加が遮断される。従って、電圧制御手段４とベンドメック１９との間であってもスイッチ手段４０の下流側では、ケーブル１９ａの絶縁材料がはがれた個所に導線に例えばドライバー等の異物が触れても漏電が発生することはない。
しかも、扉体３を開くと、押圧爪４６ｂが爪挿入溝４２ｂから抜き出され、押圧爪４６ｂによるスイッチ本体４３ｂへの押圧が解除された状態となる。この状態では、電圧制御手段４から照明手段３４への電圧の印加が遮断される。従って、電圧制御手段４と照明手段３４との間であってもスイッチ手段４０の下流側では、ケーブル３４ａの絶縁材料がはがれた個所に導線に例えばドライバー等の異物が触れても漏電が発生することはない。
【００２１】
この自動販売機１によれば、漏電が発生する虞れを低減することができるので、漏電遮断器を設けていなくとも、ケーブル１９ａ，４３ａの絶縁材料がはがれた個所の導線にトライバー等の異物が接触しても導線が溶断して故障が発生する虞れを低減することができる。しかも、漏電遮断器を設けていた場合には、漏電が発生する虞れを低減することができるから、漏電遮断器が作動する虞れを低減し、扉体３を開いて作業を行う際、作業効率が低下することを防止することができる。
なお、上述した自動販売機１では、所定電圧以下、例えば３５Ｖ以下の直流電圧を印加する紙幣処理装置２２と電圧制御手段４との間、および硬貨処理装置２４と電圧制御手段４との間には、スイッチ手段４０を設けていない。しかし、この発明はそれに限られず、所定電圧以下の機器２２，２４と電圧制御手段４との間にスイッチ手段を設けても良い。ただし、硬貨処理装置２４と電圧制御手段４との間にスイッチ手段４０を設けていない場合には、次のような利点を有する。すなわち、硬貨処理装置２４は釣銭の払出しのために釣銭チューブを内蔵しており、この釣銭チューブには投入硬貨のうち釣銭として使用される硬貨が自動補給されて釣銭切れを防止するように構成され、この自動補給の際、釣銭チューブが満杯の場合にはオーバーフロー硬貨として金庫に収納されるように構成されている。一方、自動販売機の売上げを計算する場合には釣銭チューブに貯留された残留硬貨を払出さねばならない。このため、売上げ計算を行う場合には硬貨処理装置２４に釣銭払出し動作を実行させ、釣銭チューブの残留硬貨を払出して金庫に回収するように構成されている。この売上げ計算のために硬貨処理装置２４に釣銭払出し動作を実行させる回収スイッチ（不図示）は扉体３の背面に設置されており、扉体３を開けた状態で操作される。したがって、硬貨処理装置２４と電圧制御手段４との間にスイッチ手段４０を設けていない場合には売上げ計算等のために硬貨処理装置２４に釣銭払出し動作を不図示のスイッチ操作により直ちに実行させることができる。
ここで、上述した自動販売機では、ベンドメック１９と電圧制御手段４との間にスイッチ手段４０を設けているので、前述した商品収納通路１３に収納された商品の入れ替えの際にベンドメック１９を作動させて商品収納通路１３に収納されている商品を搬出することができない。
【００２２】
そこで、本発明に係る自動販売機の変形例として次に説明する方法を提供することができる。すなわち、上述した自動販売機では、ベンドメック１９と電圧制御手段４との間、および照明手段３４と電圧制御手段４との間にスイッチ手段４０を設けるものに対し、図７に示した押圧部材４４の押圧爪４６ａと同一形状の押圧片を用意しておく。そして、商品の入れ替えを行うため扉体３を開くと、押圧爪４６ａが爪挿入溝４２ａから抜き出され、押圧爪４６ａによるスイッチ本体４３ａへの押圧が解除された状態となる。この状態では、電圧制御手段４からベンドメック１９への電圧の印加が遮断されるのでベンドメック１９は作動しない。そこで、予め用意した前記押圧片を爪挿脱口４９ａを通して爪挿入溝４２ａに挿入し、押圧片の先端でスイッチ本体４３ａを押圧する。これにより、電圧制御手段４からベンドメック１９への電圧の印加が許容される。この状態で扉体３の背面に設置された一括払い出しスイッチ（不図示）を操作することにより、ベンドメック１９は電圧制御手段４から印加する電圧で上ペダル１９ｂと下ペダル１９ｃとを適宜作動させて商品収納通路１３に収納された商品を順次搬出するように動作する。ベンドメック１９の動作により商品収納通路１３に収納された商品の搬出が完了した後、爪挿脱口４９ａを通して爪挿入溝４２ａに挿入した前記押圧片を引き抜くことによって商品の入れ替え準備を完了する。
【００２３】
さらに、上述した自動販売機では、ベンドメック１９と電圧制御手段４との間、および照明手段３４と電圧制御手段４との間にスイッチ手段４０を設けるもので説明した、しかし、この発明はそれに限られず、他の機器と電圧制御手段４との間にスイッチ手段を設けても良い。この場合、前述した変形例で説明した押圧片を準備しておき、機器を作動させる必要がある場合には、対応するスイッチ本体を押圧片により作動させるように構成するのが良い。
【図面の簡単な説明】
【００２４】
【図１】本発明の実施の形態である自動販売機を示す正面図である。
【図２】図１に示した自動販売機において、外扉（扉体）と内扉とを開いた状態を示す斜視図である。
【図３】図１に示した自動販売機の内部構成を概念的に示す断面側面図である。
【図４】図１に示した自動販売機において、電圧制御手段と電気機器との接続を示す説明図である。
【図５】図１に示した自動販売機において、スイッチ手段が備えるスイッチ取付台の側面図である。
【図６】図２に示す矢視Ａの拡大図である。
【図７】図２に示す矢視Ｂの拡大図である。
【図８】外扉を閉じている場合のスイッチ手段を示す説明図である。
【符号の説明】
【００２５】
１    自動販売機
２    本体キャビネット
３    扉体
４    電圧制御手段
１９    ベンドメック（電気機器）
３４    照明手段（電気機器）
４０    スイッチ手段
【図１】
2007122672.tif 000003
【図２】
2007122672.tif 000004
【図３】
2007122672.tif 000005
【図４】
2007122672.tif 000006
【図５】
2007122672.tif 000007
【図６】
2007122672.tif 000008
【図７】
2007122672.tif 000009
【図８】
2007122672.tif 000010